(57)【特許請求の範囲】
【請求項１】
軸に火薬を備えさせてなる玩具花火において、該軸を合成樹脂を主成分とする自己消火性を有する可燃性の混合物により形成したことを特徴とする玩具花火。
【請求項２】
軸に火薬を備えさせてなる玩具花火において、該軸を可燃性の合成樹脂と難燃材とよりなる自己消火性を有する可燃性の混合物により形成したことを特徴とする玩具花火。
【請求項３】
軸に火薬を備えさせてなる玩具花火において、該軸を可燃性の合成樹脂と難燃材と無機質のフィラーとよりなる自己消火性を有する可燃性の混合物により形成したことを特徴とする玩具花火。
【請求項４】
前記火薬は前記軸に直接固着したことを特徴とする請求項１〜３のいずれかの玩具花火。
【発明の詳細な説明】
【０００１】
【産業上の利用分野】
本発明は軸に火薬を備えさせてなる玩具花火に関するものであり、特にこのような玩具花火における軸に係るものである。特許請求の範囲を含む本明細書における「軸に火薬を備えさせてなる玩具花火」には少なくとも軸に直接火薬を固着してなる玩具花火及び軸に筒状体を取り付け、該筒状体内に火薬を充填してなる玩具花火が含まれるものとする。
【０００２】
【従来の技術】
玩具花火の軸としては一般に木製の軸や針金製の軸が使用されている。
【０００３】
【発明が解決しようとする課題】
しかして、木製の軸の場合には下記の如き問題がある。
（１）木製の軸は将来においては入手が困難になるおそれがある。
（２）木製の軸は曲げることができない。
（３）木製の軸は見栄えを良くするために軸の表面に色を付ける必要がある。
（４）木製の軸は虫食いやカビが発生するおそれがある。
（５）木製の軸は反りが生ずるおそれがある。
【０００４】
一方、針金製の軸の場合には下記の如き問題がある。
（１）針金は燃焼させることができないため、使用後の処理に困るだけでなく、使用後地上に放置されたようなときには非常に危険である。
（２）針金は曲げ加工が面倒であり、曲げ加工の能率が悪い。
（３）針金は細いため、火薬部を太く見せるためには針金の軸に火薬を多量に塗着しなければならないのであるが、玩具花火１本当りの火薬の使用可能量は法律により制限されている。従って、針金の軸を使用したときには火薬部を充分に大きく見せることができない。
【０００５】
本発明は以上の如き問題を解決しようとしてなされたものである。
【０００６】
【課題を解決するための手段】
上記課題を解決するために、本発明は下記の玩具花火を提供するものである。
【０００７】
軸に火薬を備えさせてなる玩具花火において、該軸を合成樹脂を主成分とする自己消火性を有する可燃性の混合物により形成したことを特徴とする玩具花火（請求項１）。なお、特許請求の範囲を含む本明細書において、「自己消火性」とは火源がある限り燃焼を続けるが火源がなくなると自ら消火する性質をいう。
【０００８】
軸に火薬を備えさせてなる玩具花火において、該軸を可燃性の合成樹脂と難燃材とよりなる自己消火性を有する可燃性の混合物により形成したことを特徴とする玩具花火（請求項２）。
【０００９】
軸に火薬を備えさせてなる玩具花火において、該軸を可燃性の合成樹脂と難燃材と無機質のフィラーとよりなる自己消火性を有する可燃性の混合物により形成したことを特徴とする玩具花火（請求項３）。
【００１０】
前記玩具花火には軸に直接火薬を固着してなるもの（請求項４）が含まれる。
【００１１】
【作用】
［請求項１の玩具花火］
請求項１の玩具花火においては、従来の玩具花火の場合と同様に、軸に備えさせた火薬の一端に点火すると、該火薬は燃焼する。しかして、該軸は自己消火性を有する可燃性の混合物により形成されているため、軸のうち火薬に近接する部分（図１におけるａ部、図２におけるａ’部）は火源たる火薬と共に燃焼するが、火源たる火薬が燃え尽きると軸のうち火薬に近接していない部分（図１におけるｂ部、図２におけるｂ’部）は火源を失って自ら消火する。換言すれば、玩具花火の使用者が火薬の燃焼完了後も軸を手で持ち続けたときでも軸の手元部まで火が移ることはない。一方、燃え残った軸は火源に近づければ燃焼するのであるから、玩具花火の使用後は燃え残った軸を焼却処分することができる。請求項１の玩具花火における軸は合成樹脂を主成分とする混合物により形成されるものであるため、所望の形状、色彩に効率良く形成することができ、大量生産に適している。
【００１２】
［請求項２の玩具花火］
請求項２の玩具花火においても、従来の玩具花火の場合と同様に、軸に備えさせた火薬の一端に点火すると、該火薬は燃焼する。しかして、該軸は可燃性の合成樹脂と難燃材とよりなる自己消火性を有する可燃性の混合物により形成されているため、請求項１の玩具花火の場合と同様に、軸のうち火薬に近接する部分（図１におけるａ部、図２におけるａ’部）は火源たる火薬と共に燃焼するが、火源たる火薬が燃え尽きると軸のうち火薬に近接していない部分（図１におけるｂ部、図２におけるｂ’部）は火源を失って自ら消火する。換言すれば、玩具花火の使用者が火薬の燃焼完了後も軸を手で持ち続けたときでも軸の手元部まで火が移ることはない。一方、燃え残った軸は火源に近づければ燃焼するのであるから、玩具花火の使用後は燃え残った軸を焼却処分することができる。請求項２の玩具花火における軸も合成樹脂を主成分とするものであるため、所望の形状、色彩に効率良く形成することができ、大量生産に適している。
【００１３】
［請求項３の玩具花火］
請求項３の玩具花火においても、従来の玩具花火の場合と同様に、軸に備えさせた火薬の一端に点火すると、該火薬は燃焼する。しかして、該軸は可燃性の合成樹脂と難燃材と無機質のフィラーとよりなる自己消火性を有する可燃性の混合物により形成されているため、請求項１、２の玩具花火の場合と同様に、軸のうち火薬に近接する部分（図１におけるａ部、図２におけるａ’部）は火源たる火薬と共に燃焼するが、火源たる火薬が燃え尽きると軸のうち火薬に近接していない部分（図１におけるｂ部、図２におけるｂ’部）は火源を失って自ら消火する。換言すれば、玩具花火の使用者が火薬の燃焼完了後も軸を手で持ち続けたときでも軸の手元部まで火が移ることはない。一方、燃え残った軸は火源に近づければ燃焼するのであるから、玩具花火の使用後は燃え残った軸を焼却処分することができる。請求項３の玩具花火における軸も合成樹脂を主成分とするものであるため、所望の形状、色彩に効率良く形成することができ、大量生産に適している。なお、請求項３の玩具花火における軸は無機質のフィラーを含有しているため、玩具花火の使用後、燃え残った軸を焼却処分する際に、軸の燃焼温度が低くなり焼却炉が保護される。
【００１４】
［請求項４の玩具花火］
請求項４の玩具花火は請求項１〜３の玩具花火と同様の作用をなす。
【００１５】
【実施例】
次に、本発明の実施例を添付図面に従って説明する。図１に示す玩具花火は軸１に火薬３を直接固着してなるものである。符号５は点火部である。図２に示す玩具花火は軸１’に可燃性の筒状体７を取り付け、該筒状体７内に火薬９を充填してなるものである。符号１１に示すものは筒状体７を軸１’に固定する紙テープ等の可燃性の固定手段、符号１３は点火部である。
【００１６】
軸１、１’は可燃性の合成樹脂により形成する。可燃性の合成樹脂としては例えばポリプロピレンが用いられる。
【００１７】
軸１、１’はポリプロピレン等の合成樹脂を主成分とする自己消火性を有する可燃性の混合物により形成することが望ましい。
【００１８】
上記の自己消火性を有する可燃性の混合物としては、例えば可燃性の合成樹脂と難燃材とよりなる混合物を使用する。可燃性の合成樹脂は一例としてポリプロピレンとし、難燃材は一例として三酸化アンチモンとする。この場合、例えばポリプロピレン２０重量部に対し三酸化アンチモンを１０重量部程度使用することが好ましい。
【００１９】
また、上記の自己消火性を有する可燃性の混合物としては、例えば可燃性の合成樹脂と難燃材と無機質のフィラーとよりなる混合物を使用してもよい。可燃性の合成樹脂は一例としてポリプロピレンとし、難燃材は一例として三酸化アンチモンとし、無機質のフィラーは例えば炭酸カルシウム、鉄粉、砂等とする。この場合の配合割合は一例としてポリプロピレン２０重量部、三酸化アンチモン１０重量部、無機質のフィラー０．１５重量部とする。なお、この無機質のフィラーは、玩具花火の使用後、燃え残った軸を焼却処分する際に、軸の燃焼温度を下げることにより焼却炉を保護するために添加するものである。
【００２０】
上記いずれの場合にも、軸１、１’は合成樹脂又は合成樹脂を主成分とする混合物により形成されるものであるから、軸１、１’は所望の形状に形成することができる。即ち、軸１、１’の形状は図示のものに限定されるものではなく、例えば平板状のものや立体的な形状を有するものであっても差し支えない。また、軸１、１’は合成樹脂又は合成樹脂を主成分とする混合物により形成されるものであるから、所望の色彩に形成することが可能であり、効率良く大量生産することができる。
【００２１】
【発明の効果】
［請求項１の玩具花火］
請求項１の玩具花火における軸は自己消火性を有する可燃性の混合物により形成されているため、玩具花火の使用者が火薬の燃焼完了後も軸を手で持ち続けたときでも軸の手元部まで火が移ることはない。一方、燃え残った軸は火源に近づければ燃焼するのであるから、玩具花火の使用後は燃え残った軸を焼却処分することができる。請求項１の玩具花火における軸は合成樹脂を主成分とする混合物により形成されるものであるため、所望の形状、色彩に効率良く形成することができ、大量生産に適している。
【００２２】
［請求項２の玩具花火］
請求項２の玩具花火における軸は可燃性の合成樹脂と難燃材とよりなる自己消火性を有する可燃性の混合物により形成されているため、玩具花火の使用者が火薬の燃焼完了後も軸を手で持ち続けたときでも軸の手元部まで火が移ることはない。一方、燃え残った軸は火源に近づければ燃焼するのであるから、玩具花火の使用後は燃え残った軸を焼却処分することができる。請求項２の玩具花火における軸も合成樹脂を主成分とするものであるため、所望の形状、色彩に効率良く形成することができ、大量生産に適している。
【００２３】
［請求項３の玩具花火］
請求項３の玩具花火における軸は可燃性の合成樹脂と難燃材と無機質のフィラーとよりなる自己消火性を有する可燃性の混合物により形成されているため、玩具花火の使用者が火薬の燃焼完了後も軸を手で持ち続けたときでも軸の手元部まで火が移ることはない。一方、燃え残った軸は火源に近づければ燃焼するのであるから、玩具花火の使用後は燃え残った軸を焼却処分することができる。請求項３の玩具花火における軸も合成樹脂を主成分とするものであるため、所望の形状、色彩に効率良く形成することができ、大量生産に適している。なお、請求項３の玩具花火における軸は無機質のフィラーを含有しているため、玩具花火の使用後、燃え残った軸を焼却処分する際に、軸の燃焼温度が低くなり焼却炉が保護される。
【００２４】
［請求項４の玩具花火］
請求項４の玩具花火は上記請求項１〜３の玩具花火と同様の効果を奏する。
【図面の簡単な説明】
【図１】本発明による玩具花火の一例を示す平面図である。
【図２】本発明による玩具花火の別の一例を示す平面図である。
【符号の説明】
１ 軸
１’ 軸
３ 火薬
５ 点火部
ａ 火薬に近接する部分
ａ’ 火薬に近接する部分
ｂ 火薬に近接していない部分
ｂ’ 火薬に近接していない部分
７ 筒状体
９ 火薬
１１ 固定手段
１３ 点火部
【図１】
0003721209.tif 000002
【図２】
0003721209.tif 000003